Podtech/llm-jp-corpus-v4-ja_patent huggingface dataset:
(57)【要約】      （修正有）【課題】トイレットペーパーを巻き取りやすい位置に配置しやすくしたホルダーとストッカーを提供する。【解決手段】本トイレットペーパーホルダーとトイレットペーパーストッカーをセットにし、ホルダーをフック式にすることで、従来、位置が固定されていたトイレットペーパーホルダーを使う人の使いやすい位置に配置できるようにした。【選択図】図１
0003173468.tif 000002
【実用新案登録請求の範囲】
【請求項１】
裏面にフックをつけたトイレットペーパーホルダーと、４側面がメッシュパネルである直方体形状のトイレットペーパーストッカーからなり、前記フックを前記メッシュパネルにひっかけることでトイレットペーパーホルダーの高さを自在に上下させ使いやすい高さにセットできることを特徴とするトイレットペーパーホルダーとトイレットペーパーストッカーのセット。
【考案の詳細な説明】
【技術分野】
【０００１】  本考案は、トイレットペーパーホルダーをストッカーの使いやすい高さにワンタッチでセット出来るものである。そのためにホルダーはフック式、ストッカーはメッシュパネル製とした。
【背景技術】
【０００２】  従来トイレットペーパーホルダーの多くはトイレットルームの右または左側面に固定的に取り付けていた。
【考案の概要】
【考案が解決しようとする課題】
【０００３】  トイレットルームの右または左側面に固定されたペーパーホルダーにおいては、上半身をひねって無理な姿勢でペーパーを巻き取りしていたが、トイレットペーパーホルダーとトイレットペーパーストッカーのセットにおいては、ストッカーをトイレットルームの前面に配置し巻き取りやすい高さにホルダーをセットすることで、前述の欠点を解決しようとするものである。
【課題を解決するための手段】
【０００４】  本考案はペーパーストッカーにペーパーホルダーを上下自在に取り付け取り外し出来て巻き取りの不便さをなくすことにより問題点を解決している。
【考案の効果】
【０００５】  上半身をひねるのが困難な老人や障害者でも上半身をひねらずに簡単に使用でき、かつ、トイレットルームの両側面のスペースを広く活用出来る。
【図面の簡単な説明】
【０００６】
【図１】本考案のトイレットペーパーホルダーとトイレットペーパーストッカーのセット実施例を示す斜視図である。
【図２】トイレットペーパーホルダーとトイレットペーパーストッカーのセットの一部切断面
【図３】ペーパーホルダー裏面にフックを取り付けた一部切断面
【考案を実施するための形態】
【０００７】  ペーパーホルダー裏面に付けたフックで、メッシュパネルペーパーストッカーに取り付ける。
【実施例】
【０００８】  以下、添付図面に従って実施例を説明する。
１の裏面にフックを取り付けたペーパーホルダー本体を２のメッシュパネルで作ったペーパーストッカーに１に取り付けた３でメッシュパネルにひっかけてセットする。
【符号の説明】
【０００９】  １  トイレットペーパーホルダー
２  ペーパー収納部
３  フック
４  トイレットペーパーロール
５  ペーパー取り出し口
【図１】
0003173468.tif 000003
【図２】
0003173468.tif 000004
【図３】
0003173468.tif 000005
(57)【要約】      （修正有）【課題】厚いフレームを、袋状の薄いものとすることで簡易に持ち歩きができ複数の同じ袋状フレームを連結して折り曲げることで立てることも出来るフレームを提供する。【解決手段】薄くして折れ曲がりもできるようにする為、フレーム、マット、正面の窓枠などを一体化して袋状にして展示するものを差し入れるようにする。薄いので書籍や手帳などに挟んで持ち歩きが出来て、同じ袋状を連結することが可能なので折り曲げ方で複数のフレームを立たせられることができる。【選択図】図１
0003173470.tif 000002
【実用新案登録請求の範囲】
【請求項１】
袋状フレーム
【考案の詳細な説明】
【考案の概要】
【考案が解決しようとする課題】
【０００１】従来の厚くなっているフレームを薄くて軽いものにして持ち歩きが出来るようにしたものである。
【課題を解決するための手段】
【０００２】薄くして折れ曲がりも出きるようにする為、フレーム、マット、正面の窓枠などを一体化して袋状にして展示するものを差し入れるようにしたものである。
【考案の効果】
【０００３】薄いので書籍や手帳などに挟んで持ち歩きが出来て、同じ袋状を連結することが可能なので折り曲げ方で複数のフレームを立たせられることができる。
【図面の簡単な説明】
【０００４】
【図１】二つの袋状フレームを折り曲げた概略斜視図である。二つの袋状フレームと折りたたんだ概略斜視図
【符号の説明】
【０００５】折り曲げた二つの袋状フレームと折りたたんだ概略斜視図である。
１  折り曲げた二つの袋状フレーム
２  折りたたんだ二つの袋状フレーム
【図１】
0003173470.tif 000003
(57)【要約】      （修正有）【課題】顔面の表情筋を鍛えるための、小さな携帯型アイソメトリック・エクササイズ器具を提供する。【解決手段】筒Ａと、筒Ａ内のコイルスプリングＢと、ピストン棒Ｄと、から成る。コイルスプリングＢによる漸進的負荷が、ピストン棒Ｄを介して筋肉に伝達され、張力を発揮させ、筒Ａをグリップにして、片手で操作できる。【選択図】図１
0003173467.tif 000002
【実用新案登録請求の範囲】
【請求項１】
筒と、コイルスプリングと、ピストン棒とを具備し、筒内においてコイルスプリングが筒底とピストン棒とを架橋することを特徴とする、表情筋用携帯型アイソメトリック・エクササイズ器具。
【考案の詳細な説明】
【技術分野】
【０００１】本考案は運動器具に関し、特に、顔面に対し垂直方向の漸進的負荷をかけることによって、表情筋にアイソメトリック・エクササイズを施す器具に関する。
【背景技術】
【０００２】アイソメトリック・エクササイズとは、筋の長さを変えずに張力を発揮させて数秒間維持する方法で行うエクササイズである。アイソメトリック・エクササイズは、筋肉を簡便かつ効率的に鍛えるのに効果的であると周知されている。【０００３】従来のアイソメトリック・エクササイズ器具は、腹筋、大胸筋、その他の首から下の筋肉のみを対象とせざるを得なかった。【０００４】かかる制約は、小型化された手持式アイソメトリック・エクササイズ装置（下記特許文献１）にも存在する。【０００５】本考案に似て非なるものとして、以下の考案がある。【０００６】まず、手で操作するのでなく口を動かす動作を反復させてコイルスプリングによる摺動負荷をかける表情筋トレーニング器具（下記特許文献２）がある。これは、運動しながら負荷をかけるアイソキネティック・エクササイズに分類されるべきである。従って、筋の長さを変えずに固定したまま行うアイソメトリック・エクササイズとは、区別されるべきである。【０００７】次に、顔面に対し叩き棒を連続上下運動させる表情筋運動器具（下記特許文献３）がある。これは、張力を発揮させて数秒間維持する方法ではないので、アイソメトリック・エクササイズとは区別されるべきである。
【先行技術文献】
【０００８】
【特許文献１】特許公開２００９−９５６５１
【特許文献２】登録実用新案第３０４００７０号
【特許文献３】登録実用新案第３１６０８７８号
【考案の概要】
【考案が解決しようとする課題】
【０００９】加齢によって顔面の表情筋が衰えると、たるみ等の老化現象が現れる。また、顔面の表情筋が弱いと、表情が乏しくなる。【００１０】かかる状態を簡便かつ効率的に改善するためには、筋肉を簡便かつ効率的に鍛錬する方法として周知されたアイソメトリック・エクササイズが効果的である。【００１１】しかるに従来のアイソメトリック・エクササイズ器具は、構造が大きくなりすぎて、顔面の表情筋に使用することが不可能ないし著しく困難であった。【００１２】本考案は、顔面の表情筋を鍛えるために、従来よりも小さな携帯型アイソメトリック・エクササイズ器具を提供する。
【課題を解決するための手段】
【００１３】本考案は、片手で持ち得る筒と、コイルスプリングと、筒内を滑動するピストン棒と、から成る、携帯型アイソメトリック・エクササイズ器具である。【００１４】具体的には、コイルスプリングが、筒の中空にあって、筒底とピストン棒とを架橋する。そして、筒を握ってピストン棒を皮膚に押し付ける。すると、コイルスプリングによる漸進的負荷がピストン棒を介して筋肉に伝達され、張力を発揮させる仕組みである。【００１５】要するに、コイルスプリングを収納した筒を、そのままグリップにすることによって、片手で操作できるほど小さな携帯型アイソメトリック・エクササイズ器具が実現する。
【考案の効果】
【００１６】本考案によれば、狭い範囲に対し局所的にアイソメトリック・エクササイズを施すことができる。ゆえに、顔面の表情筋を簡便かつ効率的に鍛錬できる。【００１７】さすれば、表情筋の衰えによる、たるみ等の老化現象が改善される。あるいは、表情筋の弱さによる表情の乏しさが改善される。
【図面の簡単な説明】
【００１８】
【図１】本考案の断面図である。
【図２】本考案の使用状態を示す断面図である。
【図３】本考案の斜視図である。
【図４】本考案の操作方法を示す図である。
【考案を実施するための形態】
【００１９】以下、まず本考案の実施形態について、図面に基づいて説明する。
【００２０】耐久性のある硬い素材を用いたピストン棒（Ｄ）の一端に、単一または複数のコイルスプリング（Ｂ）の一端が、接着し固定される。なお、ピストン棒（Ｄ）には、点線で示すような空洞を設けてもかまわない。
【００２１】コイルスプリング（Ｂ）の一部は、ピストン棒（Ｄ）と一体化したストッパー（Ｃ）に囲まれることが望ましい。ストッパー（Ｃ）は、押し過ぎを防ぐとともに、ピストン棒（Ｄ）が外れることを防ぐ。
【００２２】ピストン棒（Ｄ）及びコイルスプリング（Ｂ）が、耐久性のある硬い素材を用いた筒（Ａ）の中空に通される。筒（Ａ）はグリップにもなるため、外部表面には、すべり止めを施すことが望ましい。
【００２３】コイルスプリング（Ｂ）の他方の端は、中空にあって筒（Ａ）底に接着し固定される。
【００２４】筒（Ａ）開口部から突き出たピストン棒（Ｄ）の末端に、パッド（Ｅ）が付けられる。パッド（Ｅ）装着面は目の大きさよりも広くなっており、ピストン棒（Ｄ）を誤って目に入れることを防止する。もしピストン棒（Ｄ）の太さを細くしたいのであれば、ピストン棒（Ｄ）の末端を広げることになろう。なお、その形状は円形に限らない。
【００２５】次に、本考案の操作方法について、順に説明する。
【００２６】操作者は、仰向けになるなど、頭部を固定し安定した姿勢をとる。この姿勢によって、首への負担を減らし、かつ、誤操作を防止する。
【００２７】片手でグリップを握り、筒（Ａ）開口部が頬に向くよう、筒（Ａ）を顔面に対し垂直に立て、パッド（Ｅ）を頬にあてがう。
【００２８】もう一方の手を添えて、目を保護する。
【００２９】筒（Ａ）を操作してパッド（Ｅ）を頬に押し付け、息を吐きながら６秒間ないし１０秒間静止する。息を吐くことによって、循環器への負担を減らす。
【００３０】パッド（Ｅ）を頬に押し付ける動作をやめる。
【００３１】２０秒ほどの間隔を置いて、同じ動作を繰り返す。
【００３２】特段の事情のない限り、左右同一の回数とする。
【００３３】なお、以上の操作方法は標準的なものであって、他にも例えば各種の腱の機能回復に応用することも可能である。
【符号の説明】
【００３４】Ａ．筒
Ｂ．コイルスプリング
Ｃ．ストッパー
Ｄ．ピストン棒
Ｅ．パッド
【図１】
0003173467.tif 000003
【図２】
0003173467.tif 000004
【図３】
0003173467.tif 000005
【図４】
0003173467.tif 000006
(57)【要約】      （修正有）【課題】色を評価、識別する職場の自律式色評価用照明アシストライトを提供する。【解決手段】色評価、判定用の照明を作業をする室内の上部からの吊り下げ固定や、壁面に直接設置するのでなく、照明器自体を自立させ、かつ搬送できる形態にする事で業務の機会と場所の選択肢を広げ、業務の効率化、円滑化をはかることが可能になる。【選択図】図１
0003173407.tif 000002
【実用新案登録請求の範囲】
【請求項１】
色を適正に識別、評価する必要のある職場において、平坦な場所であれば設置場所を選ばず簡易に自立し、かつ色を適正に識別、評価するために適正な色温度の照明光を日本工業規格に定める適正な光量で照射できる職場用照明。
【考案の詳細な説明】
【技術分野】
【０００１】
本考案は、色を評価、識別する職場の自立式色評価用照明アシストライトに関する。
【背景技術】
【０００２】
従来の色評価用の照明は室内上部から吊り下げられたり、作業室壁面に直接取り付けられたものである。
【考案の概要】
【考案が解決しようとする課題】
【０００３】
しかしながら、上記の既存の設備は固定式であったため、判定の場所を限定し効率的でなかった。また、市場の要求の多様化で、職場以外に出向いて色評価、判定をする頻度が増えて来たが、適正な照明が出向いた先に無く、色評価、判定の業務に支障をきたして来た事等を課題とする。
【課題を解決するための手段】
【０００４】
以上の課題を解決するために、本考案は固定設備としての照明に移動性を持たせ、搬送を可能にし、かつ照明を自立させる事で色評価、判定の業務を多くの場所や機会で実行できることで、上記課題を解決するものである。
【考案の効果】
【０００５】
本考案に係る自立式色評価用照明アシストライトは、複雑な構造ではなく、自立するための三脚部（折りたたみ可能）と、軽量な２灯での照明を採用したため容易に製造する事ができ、女性が進出著しい色評価、判定の業務においても実用性に優れたものである。
【図面の簡単な説明】
【０００６】
【図１】本考案に係る自立式色評価用照明アシストライト正面図である。
【図２】本考案に係る自立式色評価用照明アシストライト側面図である。
【考案を実施するための形態】
【０００７】
この考案の一実施形態を、図１に示す。
照明の本体１は縦に用い、組み立て自立した三脚の支柱に照明背面固定具によって固定する（支柱を中心に照射角度は360°可変）。この照明背面の固定具は簡易な構造、かつ安全な物なので特別な工具を必要とせず固定できる。
【０００８】
「実施形態の効果」
この実施形態によれば、色評価、判定する対象が人物であっても物品であっても、適宜好ましい適正な照明光を適正な角度、距離で自由度高く照射でき効果的である。
【符号の説明】
【０００９】
１  照明部本体  （蛍光ランプ２灯／色評価用）    
２  照明背面固定具（金属製）
３  自立式三脚（支柱部金属製）
【図１】
0003173407.tif 000003
【図２】
0003173407.tif 000004
【手続補正書】
【提出日】平成23年6月17日(2011.6.17)
【手続補正１】
【補正対象書類名】実用新案登録請求の範囲
【補正対象項目名】全文
【補正方法】変更
【補正の内容】
【実用新案登録請求の範囲】
【請求項１】
人を対象にした色評価（カラーアナリシス／カラー診断）の専門職の現場では、色を適正に識別、評価するために直立した人に対して正面から光源を照射する必要がある。よってこの考案による自立式色評価用照明アシストライトは、添付の図-１、図-２の通り、色評価に十分な光を確保する二灯の色評価高演色性蛍光ランプを擁した箱状の照明器具部分を被験者に対して丁度垂直に保持し、加えて床面から被験者の顔の位置まで照射位置を保持するため、照明器具部分を背面で金属柱で構成される支柱部（自立三脚スタンド）と専用金属固定具で簡易固定する。溶接等の手法をとらず簡易固定として自立式色評価用照明アシストライトを構成する構造上の理由は、この考案による自立式色評価用照明アシストライトが、照明器具部分と自立用三脚部分を着脱分離し持ち運びに利便性を高めるためである。このことにより、平坦な場所であれば設置場所を選ばず簡易に移動携行が可能で、かつ色を適正に識別・評価するために適正な色温度の照明光を、日本工業規格に定める適正な光量で照射できる。
【手続補正書】
【提出日】平成23年11月24日(2011.11.24)
【手続補正１】
【補正対象書類名】実用新案登録請求の範囲
【補正対象項目名】全文
【補正方法】変更
【補正の内容】
【実用新案登録請求の範囲】
【請求項１】
色を適正に識別、評価するために、直立した人に対して正面から光源を照射するこの考案による自立式色評価用照明アシストライトは、色評価に十分な光を確保する二灯の色評価高演色性蛍光ランプを擁した箱状の照明器具部分を被験者に対して丁度垂直に保持し、被験者の顔の位置まで床面からの高さを保持するため、照明器具部分を背面で自立三脚スタンドと金属固定具で簡易固定し評価作業を行い、移動や搬送時には照明器具部分と自立用三脚部分を着脱分離し携帯できる、以上の構成からなる自立式色評価用照明アシストライト。
(57)【要約】      （修正有）【課題】少しの段差でもスムーズに通ることが出来る車椅子を提供する。【解決手段】前輪とイスの間にスプリングワッシャーを取り付けたことを特徴とする。スプリングワッシャーは重なり合わないように切れている。切れている事によって段差を通る時、緩衝装置として働く。車椅子の前輪にスプリングワッシャーを取り付ける事によって、少しの段差のショックを和らげる。スプリングワッシャーは重なり合わないようにする。【選択図】図２
0003173404.tif 000002
【実用新案登録請求の範囲】
【考案の詳細な説明】
０００１
この実用新案は車椅子が少しの段差に前輪がスムーズに通れるようにするもの
０００２
車椅子の前輪の図．１に示す所に図．２に示すようにスプリングワッシャーを取り付けたもの
【図．１】
0003173404.tif 000003
【図．２】
0003173404.tif 000004
【手続補正書】
【提出日】平成22年12月18日(2010.12.18)
【手続補正１】
【補正対象書類名】明細書
【補正対象項目名】全文
【補正方法】変更
【補正の内容】
【考案の詳細な説明】
車椅子の前輪にスプリングワッシャーを取り付ける。
図１に示す部分に取り付ける。
【手続補正３】
【補正対象書類名】実用新案登録請求の範囲
【補正対象項目名】全文
【補正方法】変更
【補正の内容】
【実用新案登録請求の範囲】
【請求項１】
車椅子の一部分にスプリングワッシャーを取り付ける方法。
【手続補正４】
【補正対象書類名】図面
【補正対象項目名】全図
【補正方法】変更
【補正の内容】
【図１】
0003173404.tif 000005
【図２】
0003173404.tif 000006
【手続補正書】
【提出日】平成23年4月11日(2011.4.11)
【手続補正２】
【補正対象書類名】明細書
【補正対象項目名】全文
【補正方法】変更
【補正の内容】
【考案の詳細な説明】
スプリングワッシャーは図に示すように重なりながら切れています。切れている事によって段差を通る時緩衝装置として働きます。
0003173404.tif 000007
スプリングワッシャーは図に示すように重なりが切れてます。切れている部分に少しの間をつくる事によって緩衝装置となります。
【０００１】１  車椅子の前輪にスプリングワッシャーを取り付ける。
２  車椅子の前輪にスプリングワッシャーを取り付ける事によって少しの段差のショックを和らげる。
３  スプリングワッシャーは重なり合わないようにする。
【０００２】図１のように取り付ける。
【図面の簡単な説明】
【０００３】
【図１】車椅子全体図と取り付ける場所
【図２】取り付けない図
【図３】取り付けた図
【手続補正３】
【補正対象書類名】図面
【補正対象項目名】全図
【補正方法】変更
【補正の内容】
【図１】
0003173404.tif 000008
【図２】
0003173404.tif 000009
【図３】
0003173404.tif 000010
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
車椅子の前輪が少しの段差でつまづくので、前輪がスムーズに通れるようにスプリングワッシャーを取り付けました。
【手続補正２】
【補正対象書類名】明細書
【補正対象項目名】全文
【補正方法】変更
【補正の内容】
【考案の詳細な説明】
【０００１】スプリングワッシャーは図に示すように重なり合わないように切れています。切れている事によって段差を通る時、緩衝装置として働きます。
【０００２】１  車椅子の前輪にスプリングワッシャーを取り付ける。
２  車椅子の前輪にスプリングワッシャーを取り付ける事によって少しの段差のショックを和らげる。
３  スプリングワッシャーは重なり合わないようにする。
【図面の簡単な説明】
【０００３】
【図２】車椅子の前輪ンの一部にスプリングワッシャーを取り付ける。  ＜特徴＞  車椅子の前輪が少しの段差を通る時ショックを和らげる事を特徴とする車椅子。
【図１】車椅子の前輪の部分にスプリングワッシャーを取り付ける  車椅子の全体図
【手続補正３】
【補正対象書類名】図面
【補正対象項目名】全図
【補正方法】変更
【補正の内容】
【図１】
0003173404.tif 000011
【図２】
0003173404.tif 000012
【手続補正書】
【提出日】平成23年11月8日(2011.11.8)
【手続補正１】
【補正対象書類名】実用新案登録請求の範囲
【補正対象項目名】全文
【補正方法】変更
【補正の内容】
【実用新案登録請求の範囲】
【請求項１】
前輪  後輪イス部等を有し前輪とイスの間にスプリングワッシャーを取り付けた事を特長とする車イス。
(57)【要約】【課題】従来のかき氷において１種類のシロップをかける事に限定されていた  又数種類のシロップをかける場合同じ作業を繰り返し行う必要があった。１度の作業によりかき氷のシロップを１種類から７種類までを自由に振りかける装置を提供する。【解決手段】ポンプ４よりチューブ８ａ〜８ｇを通ったエアーの力により、ボトル５ａ〜５ｇのシロップをチューブ７ａ〜７ｇのチューブを通りシャワー部１よりシロップをかけることが出来る。又エアー弁９ａ〜９ｇの開閉により個別にシロップの選択ができる。【選択図】図１
0003173410.tif 000002
【実用新案登録請求の範囲】
【請求項１】
かき氷のシロップを１種類から７種類までを自由に振りかける装置。
【請求項２】
ホンプよりのエアーをエアー弁の開閉によりそれぞれ使用するシロップを選択できることを特徴とする請求項１記載の装置である。
【考案の詳細な説明】
【技術分野】
【０００１】  本考案は、かき氷のシロップを１種類から７種類までを自由に振りかける装置に関する。
【背景技術】
【０００２】  従来のかき氷はシロップ１種類毎にかき氷へ振りかけていた。複数のシロップをかける場合、種類分同じ作業を繰り返し行う必要があった。
【考案の概要】
【考案が解決しようとする課題】
【０００３】  しかしながら、以上の技術によれば、１種類のシロップをかけることに限定されていた。又複数のシロップをかける場合、同じ作業を繰り返し行う必要があった。
そこで、この考案は、一度の作業にて１種類から７種類までの複数のシロップをかけることが出来る装置を提供することを課題とする。
【課題を解決するための手段】
【０００４】  以上の課題を解決するために、請求項１記載の考案に係る７種類のシロップを同時にかけることができる装置は、シャワー部１へそれぞれ独立したチューブ７ａ〜７ｇより７種類のシロップをボトル５ａ〜５ｇ内部よりポンプ４のエアーにより供給することを特徴とする装置である。
また、請求項２記載の考案によれば、ホンプ４よりのエアーをエアー弁９ａ〜９ｇの開閉によりそれぞれ使用するシロップを選択できることを特徴とする装置である。
【考案の効果】
【０００５】  請求項１記載の考案のかき氷のシロップを１種類から７種類までを自由に振りかける装置は複数回振り掛ける作業を１度の作業に短縮することができ、作業性の向上がはかれる。
さらに７種類のシロップが同時にかかるため、見た目も従来のかき氷に比べて非常に美しく又７種類の味も楽しめる。
【図面の簡単な説明】
【０００６】
【図１】この考案の一実施形態を示す全体図である。
【図２】シャワー部内部の正面図である。
【考案を実施するための最良の形態】
【０００７】  請求項１〜２に係る本考案の一実施形態を、図１に示す。
ポンプ４よりチューブ８ａ〜８ｇを通ったエアーの力により、ボトル５ａ〜５ｇのシロップをチューブ７ａ〜７ｇのチューブを通りシャワー部１よりシロップをかけることが出来る。又エアー弁９ａ〜９ｇの開閉により個別にシロップの選択ができる。【０００８】「実施形態の効果」
請求項１〜２に係る本考案のかき氷のシロップを１種類から７種類までを自由に振りかける装置は、かき氷に限らずアイスクリームやソフトクリーム等のトッピングにも使用でき、或いはケーキやパフェなどのデコレーションも可能である。
「異なる実施形態」
図１の実施形態では、７種類のシロップを限定していたが、８種類以上のシロップの同時に振り掛ける装置の選択も可能である。
【符号の説明】
【０００９】１  シャワー部
２  シロップ送りチューブ入りホース
３  エアー送りチューブ入りホース
４  ポンプ
５  ポトル（ａ〜ｇ）
６  ボトルキャップ（ａ〜ｇ）
７  シロップ送りチューブ（ａ〜ｇ）
８  エアー送りチューブ（ａ〜ｇ）
９  エアー弁（ａ〜ｇ）
【図１】
0003173410.tif 000003
【図２】
0003173410.tif 000004
【手続補正書】
【提出日】平成23年7月27日(2011.7.27)
【手続補正１】
【補正対象書類名】実用新案登録請求の範囲
【補正対象項目名】全文
【補正方法】変更
【補正の内容】
【実用新案登録請求の範囲】
【請求項１】
かき氷のシロップ７種類を自由に振りかけることができる装置はシャワー部１へそれぞれ独立したシロップ送りチューブ７ａ〜７ｇより７種類のシロップをボトル５ａ〜５ｇ内部よりエアー送りチューブ８ａ〜８ｇを通ったポンプ４のエアーにより供給することを特徴とする装置。
【請求項２】
ポンプ４よりエアー送りチューブ８ａ〜８ｇを通ったエアーの力によりボトル５ａ〜５ｇのシロップをシロップ送りチューブ７ａ〜７ｇのチューブを通りシャワー部１よりシロップをかけることができエアー弁９ａ〜９ｇの開閉により１種類から７種類までのシロップを個別に選択ができることを特徴とする請求項１記載の装置。
【手続補正書】
【提出日】平成23年11月9日(2011.11.9)
【手続補正１】
【補正対象書類名】実用新案登録請求の範囲
【補正対象項目名】全文
【補正方法】変更
【補正の内容】
【実用新案登録請求の範囲】
【請求項１】
かき氷のシロップ７種類を自由に振りかけることができる装置はポンプ４からのエアーの力にてエアー送りチューブ入りホース内部のエアー送りチューブ８ａ〜８ｇを通りボトル５ａ〜５ｇ内部の空気圧を上げる事によりボトル５ａ〜５ｇのシロップをシロップ送りチューブ７ａ〜７ｇのチューブを通りシャワー部１よりそれぞれ独立した７種類のシロップを供給することを特徴とする装置。
【請求項２】
ポンプ４からのエアーをエアー送りチューブ入りホース内部のエアー送りチューブ８ａ〜８ｇ内部に設置したエアー弁９ａ〜９ｇを通ったエアーの力によりボトル５ａ〜５ｇ内部の空気圧を上げる事によりボトル５ａ〜５ｇのシロップをシロップ送りチューブ７ａ〜７ｇのチューブを通りシャワー部１よりシロップをかけることができエアー弁９ａ〜９ｇの開閉により個別にボトル５ａ〜５ｇ内部の圧力を調整できることにより１種類から７種類までのシロップを個別に選択ができることを特徴とする請求項１記載の装置。
(57)【要約】      （修正有）【課題】リング部分の輪を付けかわいくすることで、女性や子供に喜んでもらえるように形成したドーナツを提供する。【解決手段】ドーナツの周りに、ドーナツ部分と同一素材を使用して、ドーナツ部分より細い径のリングを付けて、かわいく見える様にドーナツを形成する。【選択図】図２
0003173424.tif 000002
【実用新案登録請求の範囲】
【請求項１】
（１）レディードーナツとして商品化するための申請。
【考案の詳細な説明】
【技術分野】
【０００１】食品
【背景技術】従来のドーナツは周りにリング状の輪が無い為かわいくなかった。
【先行技術文献】
ドーナツの周りにリング状の輪を付け女性や子供に喜んでもらえる。
【特許文献】
【特許文献】ドーナツの周りにリング状の輪を付ける。
【考案が解決しようとする課題】
従来のドーナツは輪が無くかわいくなかった。
【課題を解決するための手段】
従来のドーナツにリング状の輪を付けかわいくする。
【考案の効果】
女性や子供に喜んでもらう。
【図面の簡単な説明】従来のドーナツの周りにさらに細かいリングを付ける。
【図１】従来のドーナツにリングを付けた平面図である。
【図２】従来のドーナツにリングを付けた立面図である。
【考案を実施するための形態】
従来のドーナツの周りにリングを付ける。
【実施例】リングを付けたドーナツをレディードーナツとしてかわいく作る。
【産業上の利用可能性】レディードーナツとして全国にチェーン展開する。
【符号の説明】女性や子供に向けた商品である。
0003173424.tif 000003
0003173424.tif 000004
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
・従来のドーナツの外周にリングを付けたものの申請。
【手続補正３】
【補正対象書類名】図面
【補正対象項目名】全図
【補正方法】変更
【補正の内容】
【図１】
0003173424.tif 000005
【図２】
0003173424.tif 000006
【手続補正書】
【提出日】平成23年11月19日(2011.11.19)
【手続補正１】
【補正対象書類名】実用新案登録請求の範囲
【補正対象項目名】全文
【補正方法】変更
【補正の内容】
【実用新案登録請求の範囲】
【請求項１】
ドーナツの外周中央部に鍔を付けたドーナツ
(57)【要約】      （修正有）【課題】既設サポートの全ねじボルトを使用してサポート取付を行う為の金具を提供する。【解決手段】全体が略長方形状の平板をなし、前記平板の表面及び裏面に対し、両長辺の中央部を通る軸に沿ってそれぞれ凹部及び凸部が設けられ、前記凹部全体が前記軸と交差する方向に溝切りされており、さらに平板に対し前記軸を対象とする２つの孔を設けたことを特徴とする。既設改修でサポートを取付ける時、安価で取扱が簡単でサポート取付が容易に施工出来る。サポートの取付時間の短縮、材料費の低減が出来る。既設天井の振止め、補強材として使える。【選択図】図２
0003173422.tif 000002
【実用新案登録請求の範囲】
【請求項１】
吊サポート取付用専用金具
【考案の詳細な説明】
【技術分野】
【０００１】  本考案は既設サポートの全ねじボルトを使用してサポート取付を行う為の金具です。
【背景技術】
【０００２】  従来は既設改修において、既設サポート等を利用して新規サポートを高価な吊金具を用いるかスラブにアンカーを打って取付けていた。
【考案の概要】
【考案が解決しようとする課題】  既設改修でサポートを取付ける時、従来の高価な金具を使用してサポートを取付けるか、スラブにアンカーを打ってサポート取付をしいていた。
【課題を解決するための手段】  既設改修でサポートを取付ける時、既設サポートの全ねじボルトを使用して安価で取扱が簡単でサポート取付が容易に施工出来る。
【考案の効果】  サポートの取付時間の短縮、材料費の低減が出来る。
既設天井の振止め、補強材として使える。
【図面の簡単な説明】  図１  取付金具単品図
【考案を実施するための形態】
【実施例】  図２  吊金具取付要領図参照
【図１】
0003173422.tif 000003
【図２】
0003173422.tif 000004
【手続補正書】
【提出日】平成23年9月9日(2011.9.9)
【手続補正１】
【補正対象書類名】実用新案登録請求の範囲
【補正対象項目名】全文
【補正方法】変更
【補正の内容】
【実用新案登録請求の範囲】
【請求項１】
既設改修でサポートを取付ける時、従来の高価な金具を使用してサポートを取付けるか、スラブにアンカーを打ってサポート取付をしいていたが専用金具を用いて、既設サポートの全ねじボルトを使用し安価で取扱が簡単でサポート取付が容易に施工出来る吊サポート取付用専用金具。
【手続補正２】
【補正対象書類名】明細書
【補正対象項目名】全文
【補正方法】変更
【補正の内容】
【考案の詳細な説明】
【技術分野】
【０００１】本考案は既設サポートの全ねじボルトを使用してサポート取付を行う為の金具です。
【背景技術】
【０００２】  従来は既設改修において、既設サポート等を利用して新規サポートを高価な吊金具を用いるかスラブにアンカーを打って取付けていた。
【考案の概要】
【考案が解決しようとする課題】  既設改修でサポートを取付ける時、従来の高価な金具を使用してサポートを取付けるか、スラブにアンカーを打ってサポート取付をしいていた。
【課題を解決するための手段】  既設改修でサポートを取付ける時、既設サポートの全ねじボルトを使用して安価で取扱が簡単でサポート取付が容易に施工出来る。
【考案の効果】  サポートの取付時間の短縮、材料費の低減が出来る。
既設天井の振止め、補強材として使える。
【図面の簡単な説明】
【０００３】
【図１】  取付金具単品図
【図２】  既設サポ−ト利用吊金具取付要領図
【考案を実施するための形態】
【実施例】  図２      吊金具取付要領図参照
【手続補正書】
【提出日】平成23年11月11日(2011.11.11)
【手続補正１】
【補正対象書類名】実用新案登録請求の範囲
【補正対象項目名】全文
【補正方法】変更
【補正の内容】
【実用新案登録請求の範囲】
【請求項１】
全体が略長方形状の平板をなし、前記平板の表面及び裏面に対し、両長辺の中央部を通る軸に沿ってそれぞれ凹部及び凸部が設けられ、前記凹部全体が前記軸と交差する方向に溝切りされており、さらに平板に対し前記軸を対象とする２つの孔を設けたことを特徴とする吊サポート取付専用金具。
(57)【要約】      （修正有）【課題】端部を開閉可能に構成することで、車いすのまま風呂に入ることができるようにした浴槽用のバスを提供する。【解決手段】浴槽用のバス本体を切断し、バスの底部に丁番を付ける事で、切り離したバス端部を倒して車椅子の入口を開放し、車椅子のままバス内に入り、入浴することができる様にする。お湯をはる時は、切断部分から水が濡れない様に、切断部分にパッキンを設置し、バンドによって強く締め付ける。【選択図】図２
0003173423.tif 000002
【実用新案登録請求の範囲】
【請求項１】
（１）車いスルーとして商品化するための申請。
【考案の詳細な説明】
【技術分野】
【０００１】住宅設備器具
【背景技術】今までの車いすで安価な設備で車椅子のまま風呂に入れなかった。
【先行技術文献】
従来のバス本体を切断し、下部部分を軸とし、半切断部分を倒し車椅子のまま風呂に入れる。
【特許文献】
【特許文献】従来のバスを切断することにある。
【考案が解決しようとする課題】
今まで車椅子のまま風呂に入ろうとすると大変な労力やコストがかかった。
【課題を解決するための手段】
バスを切断して車椅子のまま入浴することによって安価で入浴出来る。
【考案の効果】
車椅子の方や介護者に喜んでもらえる。
【図面の簡単な説明】バスを切断し下部部分を軸として開閉する。
【図１】バス開放時の平面図である。
【図２】バス開放時の立面図である。
【考案を実施するための形態】
従来のバスを切断し車椅子のまま入浴してもらう。
【実施例】従来のバスを切断し軸として開閉する。
【産業上の利用可能性】全世界の住宅設備業界の発展性。
【符号の説明】車椅子の方や介護者の利便性。
0003173423.tif 000003
0003173423.tif 000004
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
・浴槽用バスを切断し、開閉できるものとする申請。
【手続補正３】
【補正対象書類名】図面
【補正対象項目名】全図
【補正方法】変更
【補正の内容】
【図１】
0003173423.tif 000005
【図２】
0003173423.tif 000006
【手続補正書】
【提出日】平成23年11月19日(2011.11.19)
【手続補正１】
【補正対象書類名】実用新案登録請求の範囲
【補正対象項目名】全文
【補正方法】変更
【補正の内容】
【実用新案登録請求の範囲】
【請求項１】
バス本体を切断し、下部部分を軸とし、半切断部分を倒すことで開閉可能としたバス。
(57)【要約】【課題】本考案は、ショルダーバックのショルダーベルトやシートベルト、ウエストベルトなどに取り付けることが出来る、もしくは一体型の、ファスナーに限らずホックやベルクロ（登録商標）によって開閉可能な薄く弾性のある生地や弾性のない生地で作られた小物入れが設けられたパッドを提供するものである【解決手段】本考案は、パッド本体１の表側に小物入れ２を設け，小物入れが空の時は小物入れの生地は折り畳んだ状態で縮められ、物品を保持する際には保持する物品の寸法に応じて小物入れ部分が垂直方向に拡張する。さらに７の折りたたみ部分も拡張するため、収納スペースを拡大することができる。【選択図】図２
0003173429.tif 000002
【実用新案登録請求の範囲】
【請求項１】
バック類のベルト、シートベルト、ウエストベルト、バンド、帯又は紐などからなる身体に密着するベルト類に取り付けたパッド本体の表側に、小物入れを設けた小物入れ付パッド
【請求項２】
請求項１に記載の小物入れ付パッドにおいて、パッド本体をベルト類に着脱可能に設けた小物入れ付パッド
【請求項３】
請求項２に記載の小物入れ付パッドにおいて、パッド本体にベルト類の通し孔を設けてパッド本体をベルト類に着脱可能に設けた小物入れ付パッド
【請求項４】
請求項１に記載の小物入れ付パッドにおいて、ベルト類にパッド本体を一体に固定して設けた小物入れ付きパッド
【請求項５】
請求項１乃至４のいずれかに記載の小物入れ付パッドにおいて、パッド本体に小物入れを着脱可能に設けた小物入れ付パッド
【請求項６】
請求項１乃至３、請求項５のいずれかに記載の小物入れ付パッドにおいて、ベルト類に小物入れ付パッドをベルクロ、ホック等の着脱手段によりベルト類に小物入れ付パッドを着脱可能に設けた小物入れ付パッド
【請求項７】
請求項１乃至６のいずれかに記載の小物入れ付パッドにおいて、小物入れの内容量が拡大縮小する伸縮性を有する小物入れからなる小物入れ付パッド
【請求項８】
請求項７に記載の小物入れ付パッドにおいて、小物入れが弾力性のある生地からなる小物入れ付パッド
【請求項９】
請求項７又は８に記載の小物入れ付パッドにおいて、小物入れが内容物の寸法に対応して拡張すると共に空なときには折り畳んだ状態に縮小する小物入れ付パッド
【請求項１０】
請求項１乃至９のいずれかに記載の小物入れ付パッドにおいて、小物入れの表面及び又は内側に文字、模様又は図形が描かれている小物入れ付パッド
【請求項１１】
請求項１乃至１０のいずれかに記載の小物入れ付パッドにおいて、パッド本体に文字、模様又は図形が描かれている小物入れ付パッド
【請求項１２】
請求項１１に記載の小物入れ付パッドにおいて、パッド本体に小物入れと同じ又は類似の文字、模様又は図形が描かれている小物入れ付パッド
【考案の詳細な説明】
【技術分野】
【０００１】本考案は、小物入れを設けたバッグのショルダーベルトや車のシートベルト、ウエストベルトなどに取り付けて、もしくは一体型で使用できる小物入れ付パッドに関するものである
【背景技術】
【０００２】ショルダーパッドは従来ショルダーパッドとしての用途以外はなかった。小物入れは鞄の中に保管していた。この２つはそれぞれ別々に使用していた。
【考案の概要】
【考案が解決しようとする課題】
【０００３】ショルダーパッドはショルダーパッドとしての用途以外はなかった。ショルダーパッドに小物入れ機能を付加しようとすると、ショルダーパッドの大きさに限りがあるため、内容量がかなり小さくなる。さらに、鞄のなかですぐに取り出したいものや小物を探すには時間的、労働的負担がかかる。従ってショルダーパッドと小物入れを一体化することで、従来のショルダーパッドとしての機能に付加価値を付けることが出来、さらに、車のシートベルトやウエストベルトにも取り付けることができる。また、小物入れが空の時は小物入れの生地は折り畳んだ状態で縮められ、物品を保持する際には保持する物品の寸法に応じて小物入れ部分が垂直方向に拡張することで小さいスペースでも収納力を確保することが可能となり前述の欠点を解決しようとするものである。
【課題を解決するための手段】
【０００４】本考案はパッド本体の表側に、伸縮可能な薄く弾性のある生地及び弾性のない生地で小物入れを設け、小物入れが空の時は折り畳んだ状態で収められ、物品を保持する際には保持する物品の寸法に応じて小物入れ部分が垂直方向に拡張する。この構造により小さいスペースでも収納力を確保することが可能となり、パッドに小物入れという機能を付加することを可能にしたことにより問題を解決しようとしている。
【考案の効果】
【０００５】上述の様に本考案の小物入れ付きパッドは、ショルダーパッドとしての使用は勿論、小物入れとしての使用もできる。また、車のシートベルトやウエストベルトに取り付けることでファッション性、小物の収納機能を付加。すぐに取り出したい小物類を収納する時に役立つ。
【図面の簡単な説明】
【０００６】
【図１】本考案の弾性素材の小物入れ付きパッドの正面図である
【図２】本考案の弾性素材の小物入れ付きパッドの使用態様を示す斜視図である
【図３】本考案の小物入れ部分を一部切断して示す説明図である
【考案を実施するための形態】
【０００７】パッド本体上部に、ファスナー、ホック、ベルクロ（登録商標）などによって開閉可能な薄く弾性のある生地または弾性のない生地で作られた小物入れが設けられている。小物入れが空の時は小物入れの生地は折り畳んだ状態で縮められ、物品を保持する際には保持する物品の寸法に応じて小物入れ部分が垂直方向に拡張する。
【実施例】
【０００８】以下、添付図面に従って一実施例を説明する。１はパット本体、２は薄く弾性のある生地もしくは弾性のない生地で作られた小物入れ。１と２の間の４には図２の使用態様を示す斜視図の６の様にショルダーベルトやシートベルトを通せるようになっている。【０００９】２の小物入れ部分は３のファスナー、なおファスナーに限らずホックやベルクロ（登録商標）開閉が可能で、図３の小物入れ部分を一部切断して示す断面図はＡからＡ′の物です。図３の７の様に折り畳んだ状態で縮められ、物品を保持する際には保持する物品の寸法に応じて小物入れ部分がＢの方向垂直方向に拡張する、さらに７の折りたたみ部分も拡張するため、収納スペースを拡大することができる。
【符号の説明】
【００１０】  １  パッド本体
２  小物入れ
３．ファスナー
４．ショルダーベルト（シートベルト）通し部分
５．引き手
６．ショルダーテープ、シートベルトなど
７  小物入れの折り返し部分
【図１】
0003173429.tif 000003
【図２】
0003173429.tif 000004
【図３】
0003173429.tif 000005
(57)【要約】      （修正有）【課題】電話機を用いた電話通報訓練において、臨場感のある疑似体験を可能とする装置を提供する。【解決手段】一方の映像情報端末が繋がった電子計算機にマイクやスピーカーを装着し、またもう一方の映像情報端末が繋がった電子計算機には電話機インターフェースを介して電話機を繋ぐ。電子計算機と電話機の間に電話機インターフェースを介することで映像情報端末と連動させる。【選択図】図１
0003173421.tif 000002
【実用新案登録請求の範囲】
【請求項１】
電話機を用いた電話通報訓練装置で、電話機と連動した映像情報端末から通報訓練者に事故などの状況映像を流す装置。
【請求項２】
電話機を用いた電話通報訓練装置で、電話機インターフェースを介して電話機と電子計算機（パソコンなど）を連動させた装置。
【考案の詳細な説明】
【考案の概要】
【考案が解決しようとする課題】
【０００１】従来、電話機を用いた電話通報訓練装置は、通報訓練者が通報すべき内容が紙に書いたイラストや写真片などであり臨場感に乏しかった。またディスプレイ装置で映像等で表示したとしても全体の装置と一体となっていないためスムースな運用が損なわれていた。
【課題を解決するための手段】
【０００２】電話機、電話機インターフェース、電子計算機、ディスプレイ装置、マイク・ヘッドフォンセット、音声装置、ローカルエリアネットワークなどを組み合わせることにより、より効果的な訓練が出来る。
【考案の効果】
【０００３】電話機と電話機インターフェースを介して電子計算機（パソコンなど）と繋ぐことでオペレータと通報訓練者の会話内容を録音したり、音声装置に流すことが出来、再生も瞬時に行える。
また通報訓練者に映像で事故などの状況を提示することにより、通報訓練者は疑似体験しながら電話で詳しい状況を伝えられるので、より臨場感に富んだ訓練が可能である。
【図面の簡単な説明】
【０００４】
【図１】図面左側のオペレータ用映像情報端末と図面右側の通報訓練者用映像情報端末は、ローカルネットワークまたは無線ＬＡＮで繋がっている。各々のディスプレイ装置には内蔵または外部の電子計算機（パソコンなど）が繋がっている。オペレーター用映像情報端末を操作することで通報訓練者用映像情報端末に、通報訓練者が訓練で伝えるべき事故などの状況映像を流すことが出来る。
【考案を実施するための形態】
【０００５】オペレーターはオペレータ用映像情報端末を用いて、通報訓練者用映像情報端末に、通報者が通報すべき事故などの状況映像を自動、もしくは選択して送る。通報訓練者が電話機からダイヤルするとその情報は電話機インターフェースを介して、通報訓練者用映像情報端末からオペレータ用映像情報端末に繋がる。オペレータ用映像情報端末はダイヤル番号をチェックし、同時に録音を始める。
【実施例】
【０００６】１１９番通報訓練
＃７１１９番通報訓練
１１８番通報訓練
１１０番通報訓練
【産業上の利用可能性】
【０００７】電話によるさまざまな通報訓練。
【符号の説明】
【０００８】（ア）オペレーター用映像情報端末
（イ）通報訓練者用映像情報端末
（１）電子計算機
（２）ディスプレイ装置
（３）電話機
（４）電話機インターフェース
（５）マイク・ヘッドフォンセット
（６）音声装置
（７）ローカルネットワークまたは無線ＬＡＮ
【図１】
0003173421.tif 000003
【手続補正書】
【提出日】平成23年11月7日(2011.11.7)
【手続補正１】
【補正対象書類名】実用新案登録請求の範囲
【補正対象項目名】全文
【補正方法】変更
【補正の内容】
【実用新案登録請求の範囲】
【請求項１】
一方の映像情報端末が繋がった電子計算機にマイクやスピーカーを装着し、またもう一方の映像情報端末が繋がった電子計算機には電話機インターフェースを介して電話機を繋ぐ、電話機の付いた映像情報端末装置を通報訓練者用、マイクの付いた映像情報端末装置をオペレーター用としたとき、電話機、電子計算機、映像情報端末を互いに連動させることでオペレーターは訓練者に自由に課題となる映像を提示することができ、訓練者の対応やダイヤル間違い、通報時間などを評価できるようにした装置。
【請求項２】
電話機を用いた電話通報訓練装置で、電子計算機と電話機の間に電話機インターフェースを介することで映像情報端末と連動させて訓練者とオペレーターのやりとりをより実際に近い疑似体験が出来る環境を作り出して訓練者を支援することを特徴とする請求項１記載の装置。
【手続補正３】
【補正対象書類名】明細書
【補正対象項目名】０００１
【補正方法】変更
【補正の内容】
【０００１】電話機を用いた電話通報訓練装置の場合、通報訓練者が臨場感をもって通報するためには高度な疑似体験装置が必要である。
【手続補正４】
【補正対象書類名】明細書
【補正対象項目名】０００２
【補正方法】変更
【補正の内容】
【０００２】一方の映像情報端末が繋がった電子計算機にマイクやスピーカーを装着し、またもう一方の映像情報端末が繋がった電子計算機には電話機インターフェースを介して電話機を繋ぐ、電話機の付いた映像情報端末装置を通報訓練者用、マイクの付いた映像情報端末装置をオペレーター用としたとき、電話機、電子計算機、映像情報端末を連動させオペレーターは映像情報端末装置に自由に課題となる映像を提示できるようにする。
【手続補正５】
【補正対象書類名】明細書
【補正対象項目名】０００３
【補正方法】変更
【補正の内容】
【０００３】電話機と電話機インターフェースを介して電子計算機と繋ぐことでオペレータ用映像情報端末装置は電話番号を自動的にチェックし、正しければ通話状態にする。
また通話時間の計測やオペレーターと通報訓練者の会話内容の録音及び外部への放送が出来、訓練後に通話内容の再生も瞬時に可能である。
またオペレーターは通報訓練者に事故などの状況映像を自動または選択により提示することにより、通報訓練者は疑似体験しながら電話で詳しい状況を伝えられるので、より臨場感に富んだ訓練が可能である。
【手続補正６】
【補正対象書類名】明細書
【補正対象項目名】０００４
【補正方法】変更
【補正の内容】
【０００４】
【図１】図面左側のオペレータ用映像情報端末と図面右側の通報訓練者用映像情報端末は、ローカルネットワークまたは無線ＬＡＮで繋がっている。各々のディスプレイ装置には内蔵または外部の電子計算機が繋がっている。オペレーター用映像情報端末を操作することで通報訓練者用映像情報端末に、事故などの状況映像を自動または選択により通報訓練者が訓練で伝えるべき事故などの状況映像を提示することが出来る。
【手続補正７】
【補正対象書類名】明細書
【補正対象項目名】０００５
【補正方法】変更
【補正の内容】
【０００５】オペレーターはオペレータ用映像情報端末を用いて、通報訓練者用映像情報端末に、通報者が通報すべき事故などの状況映像を自動、もしくは選択して送る。
通報訓練者が電話機からダイヤルするとその情報は電話機インターフェースを介して、通報訓練者用映像情報端末からオペレータ用映像情報端末に繋がり、オペレータ用映像情報端末はダイヤル番号を自動でチェックし、同時に録音を始める。
(57)【要約】【課題】字形を整えるためには、筆記具の持ち方が重要であるが、矯正具を装着するのも手間がかかる。持ち方が正しくないと、筆記具の運動が正しくなく、字形がくずれやすい。簡単に正しい持ち方ができる指の位置が示された筆記具を提供する。【解決手段】筆記具自体に、人差し指１、中指２、親指３の適正な位置を示すしるしをいれ、人差し指をやさしく１に沿わし、２に中指を当て、親指は筆記具の傾きに合わせて３の範囲に位置することによって、指先の位置は筆記具先下から中指、人差し指、親指の順となり、その三点を結ぶと大体正三角形となる。【選択図】図１
0003173473.tif 000002
【実用新案登録請求の範囲】
【請求項１】
親指、人差し指、中指それぞれの指が位置すべきラインや場所に従って指を当てれば、正しい持ち方ができるよう、筆記具の軸に親指、中指、親指の適正な位置が筆記具の軸自体に示された筆記具。
【考案の詳細な説明】
【考案の開示】
【考案が解決しようとする課題】
【０００１】筆記具を正しく持つことは、字形を整えるためには重要なことだが大変難しく、また矯正具をつけるのは手数がかかるし、筆記具によっては装着が不可能である。
【課題を解決するための手段】
【０００２】筆記具の軸自体に、指の当たる場所のしるしを入れることで矯正具使用の必要もない。人差し指、中指、親指をあてる適正な位置を筆記具軸に示しておく。親指は筆記具により筆記具の傾きが変化するため、親指が移動できる範囲を示し対応できる。
【考案の効果】
【０００３】正しい持ち方を身につけたい人は、筆記具軸にしるされたラインや範囲に従って人差し指、中指、親指を当てて持つと、筆記具が正しく動く持ち方ができる。
【図面の簡単な説明】
【図１】人差し指、中指、親指の適正な位置がしるされた筆記具の平面図である。筆記具先から中指、人差し指、親指の位置であり、特に人差し指と親指の位置の差が大切である。
【図２】考案した持ち方ライン入り筆記具を使用している立体図である。人差し指は筆記具との間にすき間を作らずやさしく沿わす。
【図１】
0003173473.tif 000003
【図２】
0003173473.tif 000004